(57)【要約】【課題】パネル部材の領域を大きくとることができる移動間仕切装置を提供する。【解決手段】複数の間仕切パネル１，１，…を連接させて空間を仕切る移動間仕切装置１０であって、間仕切パネル１は、間隔をおいて対向して配置される一対のパネル部材４，４と、パネル部材４の上下方向に亘って延び、該パネル部材４の側端縁に沿って配置される一対のパネル支持体７，７と、を備え、パネル支持体７は、一対のパネル部材４，４の対向内面４ａ，４ａに接着材７５により固着されている。【選択図】図７
2019135367.tif 000002
【特許請求の範囲】
【請求項１】
複数の間仕切パネルを連接させて空間を仕切る移動間仕切装置であって、
前記間仕切パネルは、間隔をおいて対向して配置される一対のパネル部材と、前記パネル部材の上下方向に亘って延び、該パネル部材の側端縁に沿って配置される一対のパネル支持体と、を備え、
前記パネル支持体は、前記一対のパネル部材の対向内面に接着材により固着されていることを特徴とする移動間仕切装置。
【請求項２】
前記一対のパネル部材は、透光性を有し、前記パネル支持体は、略板状を成し、前記一対のパネル部材間の間隔よりも板厚が短寸に形成されていることを特徴とする請求項１に記載の移動間仕切装置。
【請求項３】
前記パネル支持体には、上下方向に延びる凸条部が設けられており、該凸条部の先端面に粘着層が設けられていることを特徴とする請求項１または２に記載の移動間仕切装置。
【請求項４】
前記パネル支持体には、上下方向に延びる凹条部が設けられており、該凹条部内に粘着層が設けられていることを特徴とする請求項１または２に記載の移動間仕切装置。
【請求項５】
前記パネル支持体及び前記パネル部材の対向内面の少なくともいずれか一方には、上下方向に亘って線状に延びる粘着層が複数配置されていることを特徴とする請求項３または４に記載の移動間仕切装置。
【発明の詳細な説明】
【技術分野】
【０００１】
本発明は、オフィス、会議室、ショールーム、店舗等の室内を所定の区画に仕切って使用するための移動間仕切装置に関する。
【背景技術】
【０００２】
オフィス、会議室、ショールーム、店舗等の室内は、天井に設けられたレールに吊支され、該レールに沿って移動可能な間仕切パネルを連接して所定の区画に仕切って、所望の小区画のレイアウトを実現している。このような間仕切パネルにあっては、連接された際に室内が天井から床に亘って仕切られ閉塞感を与えることがあるため、間仕切パネルを構成するパネル材にガラス板等の透光パネル部材を用いて室内空間に開放感を演出するものが知られている（特許文献１参照）。
【０００３】
特許文献１に示される間仕切パネルは、間仕切パネルの厚み方向に対向して配設される一対の透光パネル部材と、一対の透光パネル部材の周囲を取り囲むいわゆる四方枠形状の枠体と、を備えている。枠体は、一対の透光パネル部材の荷重を支持しており、吊支部材により天井に設けられるレールに吊支されている。
【先行技術文献】
【特許文献】
【０００４】
【特許文献１】特許第４９８１５８２号公報（第５頁、第８図）
【発明の概要】
【発明が解決しようとする課題】
【０００５】
しかしながら、特許文献１にあっては、四方枠形状の枠体に嵌め込まれる一対の透光パネル部材の荷重を、枠体を構成する下部横フレームが支持する構造となっている。そのため、一対の透光パネル部材の荷重に耐えられる支持強度を確保するために下部横フレームが大きくなり、透光パネル部材の透光領域が相対的に小さくなってしまうことから、室内空間の開放感を十分に演出できないという問題がある。
【０００６】
本発明は、このような問題点に着目してなされたもので、パネル部材の領域を大きくとることができる移動間仕切装置を提供することを目的とする。
【課題を解決するための手段】
【０００７】
前記課題を解決するために、本発明の移動間仕切装置は、
複数の間仕切パネルを連接させて空間を仕切る移動間仕切装置であって、
前記間仕切パネルは、間隔をおいて対向して配置される一対のパネル部材と、前記パネル部材の上下方向に亘って延び、該パネル部材の側端縁に沿って配置される一対のパネル支持体と、を備え、
前記パネル支持体は、前記一対のパネル部材の対向内面に接着材により固着されていることを特徴としている。
この特徴によれば、縦方向の支持強度が高い一対のパネル支持体に一対のパネル部材を支持させる構造であることから、パネル部材の領域を大きくすることができる。また、パネル支持体は、一対のパネル部材の対向面間に配置されているため、パネル支持体を目立ちにくくでき、且つ接着材により固着されているため、簡単な構造でパネル支持体に一対のパネル部材を支持させることができる。
【０００８】
前記一対のパネル部材は、透光性を有し、前記パネル支持体は、略板状を成し、前記一対のパネル部材間の間隔よりも板厚が短寸に形成されていることを特徴としている。
この特徴によれば、パネル部材の透光領域を広く見せることができる。
【０００９】
前記パネル支持体には、上下方向に延びる凸条部が設けられており、該凸条部の先端面に粘着層が設けられていることを特徴としている。
この特徴によれば、凸条部に圧力が集中するのでパネル部材に対して粘着層を貼り付けやすい。
【００１０】
前記パネル支持体には、上下方向に延びる凹条部が設けられており、該凹条部内に粘着層が設けられていることを特徴としている。
この特徴によれば、粘着層が凹条部に収まるため、パネル支持体とパネル部材との横方向への相対移動が規制される。
【００１１】
前記パネル支持体及び前記パネル部材の対向内面の少なくともいずれか一方には、上下方向に亘って線状に延びる粘着層が複数配置されていることを特徴としている。
この特徴によれば、パネル支持体とパネル部材との間に気泡が入ることを抑制できる。
【図面の簡単な説明】
【００１２】
【図１】本発明の実施例１における移動間仕切装置を示す正面図である。
【図２】間仕切パネルの構造を示す分解斜視図である。
【図３】上部閉塞部材及び下部閉塞部材の収納状態を示す縦断面図である。
【図４】上部閉塞部材及び下部閉塞部材の閉塞状態を示す縦断面図である。
【図５】上部フレームと縦フレームとの連結構造を拡大して示した分解斜視図である。
【図６】（ａ）は上部フレームと縦フレームとの連結構造を拡大して示した上面図、（ｂ）は同じく側面図である。
【図７】実施例１における縦フレームによるガラスパネルの支持構造を示す上面視における断面図である。
【図８】実施例１における縦フレームによるガラスパネルの支持構造を示す正面視における模式図である。
【図９】本発明の実施例２における縦フレームによるガラスパネルの支持構造を示す上面視における断面図である。
【図１０】実施例２における縦フレームによるガラスパネルの支持構造を示す正面視における模式図である。
【発明を実施するための形態】
【００１３】
本発明に係る間仕切パネルを実施するための形態を実施例に基づいて以下に説明する。
【実施例１】
【００１４】
実施例１に係る間仕切パネルにつき、図１から図８を参照して説明する。以下、図１の紙面手前側及び図３の紙面右側を移動間仕切装置の正面側（前方側）とし、その前方側から見たときの上下左右方向を基準として説明する。
【００１５】
間仕切パネル１は、例えば、オフィス、会議室、ショールーム、店舗等の建物内の室内を所定の区画に仕切るために用いられるものであり、図１に示されるように、本実施例では、複数の間仕切パネル１，１，…を組み合わせて移動間仕切装置１０を構成している。
【００１６】
移動間仕切装置１０は、室内空間の天井面Ｒに設けられるレール３に沿って移動可能な一対の吊支部材９，９により上端が吊支される複数の間仕切パネル１，１，…から主に構成され、間仕切パネル１，１，…をレール３に沿って所定の位置まで手動で順次移動させ、間仕切パネル１，１，…を左右方向（進行方向）に一列に連接させることができるとともに、後述する上部閉塞部材１１及び下部閉塞部材１２がレール３及び床面Ｆに向けて押し付けられることにより天井面Ｒから床面Ｆに亘って室内空間を仕切ることができるようになっている。
【００１７】
図２に示されるように、間仕切パネル１は、前後に間隔をおいて対向配置される一対のガラスパネル４，４（パネル部材）と、ガラスパネル４，４を一体に保持する枠部材５（上部フレーム６、縦フレーム７，７（パネル支持体）及び下部フレーム８）と、上部フレーム６及び下部フレーム８（枠部材５の上下端部）に収納される上部閉塞部材１１及び下部閉塞部材１２と、上部閉塞部材１１及び下部閉塞部材１２を進退動作させる進退機構（図示略）と、から主に構成される二重ガラスパネル構造を成し、パネル材として透明のガラスパネル４が使用されることにより、間仕切パネル１によって仕切られる室内空間の開放感を演出することができるとともに、強度や遮音性に優れている。尚、本実施例では、ガラスパネル４，４と枠部材５とが一体化されてパネル本体２０を構成している。
【００１８】
図３を用いて、先ずガラスパネル４の構造について説明する。ガラスパネル４は、２枚の透明な板ガラス４１，４１を重合して強化された合わせガラスとなっている。尚、板ガラス４１，４１は、透明度の高いポリカーボネートやアクリル樹脂製を使用してもよい。
【００１９】
次いで、枠部材５の構造について説明する。図２に示されるように、枠部材５は、ガラスパネル４，４の上端部に沿って取付けられる上部フレーム６と、上端部が上部フレーム６の左右両端部に接続される一対の縦フレーム７，７と、ガラスパネル４，４の下端部に沿って取付けられ、左右両端部が一対の縦フレーム７，７の下端部に接続される下部フレーム８と、から主に構成され、一対のガラスパネル４，４の上下左右端に沿って配置される、いわゆる四方枠形状を成している。尚、ガラスパネル４，４と枠部材５との接続については、後に詳述する。
【００２０】
図３に示されるように、上部フレーム６は、アルミ合金等の金属製の押出成形品であり、下面側の前後に長手方向に沿って設けられる凹溝部６１，６１と、上面側の前後略中央部に長手方向に沿って設けられる上部チャンネル部６２と、を備えている。凹溝部６１は、側方から見て下向きコ字状を成し、ガラスパネル４，４の上端部を上方から嵌合している。上部チャンネル部６２は、側方から見て上向きコ字状を成し、上部閉塞部材１１を収容している。
【００２１】
また、図６（ａ）に示されるように、上部フレーム６は、左右方向に貫通して延びる溝６ｄを備え、上部フレーム６の左右両端部には、鋼製の芯部材６３，６３（左側のみ図示）が固定されている。詳しくは、溝６ｄを構成する上壁部６ｆには、その前後方向中央部に左右方向に沿ってスリット６ｇが形成されており、前後に分断されている。スリット６ｇの左右端部には、スリット６ｇの左右方向中央部よりも前後方向に幅広な幅広部６ｈが形成されている。また、芯部材６３は、左右方向に延びる基部６３ａと、該基部６３ａの左右方向略中央部には、上方向に突出し吊支部材９を接続可能な筒状の接続部６３ｂと、基部６３ａにおける接続部６３ｂよりも右側に設けられるネジ孔６３ｃ，６３ｃと、が設けられている。
【００２２】
左側の芯部材６３は、上部フレーム６の左端部から溝６ｄに挿入される。接続部６３ｂの外径は、スリット６ｇの幅広部６ｈの前後幅よりも小さく、スリット６ｇの左右方向中央部よりも大きいため、芯部材６３を溝６ｄに挿入したときに接続部６３ｂが幅広部６ｈの右端部に接触することで、溝６ｄへの挿入深度が位置決めされる。
【００２３】
また、溝６ｄへの挿入深度が位置決めされた芯部材６３は、上壁部６ｆに接触した状態でネジ孔６３ｃ，６３ｃを用いて図示しないネジにより上部フレーム６と固定されており、芯部材６３と上壁部６ｆとが上下に相対移動することが防止されている。尚、右側の芯部材６３も左側の芯部材６３と同様の形態で上部フレーム６に固定されている（図示略）。
【００２４】
図３に戻って、下部フレーム８は、アルミ合金等の金属製の押出成形品であり、上面側の前後に長手方向に沿って設けられる凹溝部８１，８１と、下面側の前後略中央部に長手方向に沿って設けられる下部チャンネル部８２と、を備えている。凹溝部８１は、側方から見て上向きコ字状を成し、ガラスパネル４，４の下端部を下方から嵌合している。下部チャンネル部８２は、側方から見て下向きコ字状を成し、下部閉塞部材１２を収容している。
【００２５】
図２に戻って、縦フレーム７は、間仕切パネル１の上下方向に延びる被覆部材７０と、間仕切パネル１の上下方向に延び被覆部材７０により被覆される芯部材７１と、から主に構成され、左右方向に厚みを有する略板状を成し、ガラスパネル４，４の間に配設されている。また、縦フレーム７は、一対のガラスパネル４，４間の間隔の寸法Ｌ２よりも板厚（左右方向の厚み）の寸法Ｌ１が短寸に形成されている（Ｌ１＜Ｌ２，図７参照）。尚、被覆部材７０は、アルミ合金等の金属製の押出成形品であり、芯部材７１は、左右方向に厚みを有する鋼製の板材である。
【００２６】
また、縦フレーム７，７の側部には、それぞれ側部カバー部材７６，７７が取付けられている。隣接した間仕切パネル１，１が左右方向に連設される際には、側部カバー部材７６，７７同士が直接接触するため、ガラスパネル４，４の両側端面を保護できるようになっている。尚、側部カバー部材７６は、右側に凹む凹部７６ａを有し、側部カバー部材７７は、凹部７６ａに嵌合可能な凸部７７ａを有している。また、側部カバー部材７６の凹部７６ａにはゴム等の弾性部材７６ｂ（図７参照）が設けられており、隣接した間仕切パネル１，１が左右方向に連設される際には、側部カバー部材７６の凹部７６ａと側部カバー部材７７の凸部７７ａと嵌合により該弾性部材７６ｂが圧接されるため、隣接する間仕切パネル１，１間における密閉性及び遮音性が高められている。
【００２７】
次に、上部閉塞部材１１及び下部閉塞部材１２について説明する。図２〜図４に示されるように、上部閉塞部材１１は、アルミ合金等の金属製の押出成形品であり、上部フレーム６と略同一寸法で左右方向に延びており、側方から見て下向きコ字形状を成している。下部閉塞部材１２は、アルミ合金等の金属製の押出成形品であり、下部フレーム８と略同一寸法で左右方向に延びており、側方から見て上向きコ字形状を成している。
【００２８】
図１に戻って、上部閉塞部材１１は、上部フレーム６の上部チャンネル部６２に収納された状態において、パネル本体２０よりも左側（間仕切り位置への進行方向）に向かって左端部（先端部）が突出している。尚、下部閉塞部材１２も同様に、下部チャンネル部８２に収納された状態において、パネル本体２０よりも左側（間仕切り位置への進行方向）に向かって左端部（先端部）が突出している。
【００２９】
図３及び図４に示されるように、上部閉塞部材１１及び下部閉塞部材１２は、レール３及び床面Ｆに対して進退動作するようになっている。また、上部閉塞部材１１の上面側の前後及び下部閉塞部材１２の下面側の前後には、長手方向に沿って延びるゴム製等のシール部材１４が固着されており、特に図４に示されるように、上部閉塞部材１１及び下部閉塞部材１２がレール３及び床面Ｆに近づく方向に延出した状態にあっては、シール部材１４がそれぞれ上部閉塞部材１１及び下部閉塞部材１２とレール３の下面及び床面Ｆとの間で圧接され、密閉性及び遮音性が高められる。尚、上部閉塞部材１１及び下部閉塞部材１２を進退動作させる進退機構は、捻りコイルバネ、または捻りコイルバネ及びリンク部材を組み合わせたリンク機構等により構成されている。
【００３０】
次に、ガラスパネル４，４と枠部材５との接続について図５〜図８に基づいて説明する。図５〜図８に示されるように、縦フレーム７は、ガラスパネル４，４間に配置され、縦フレーム７を構成する被覆部材７０には、ガラスパネル４，４の対向面４ａ，４ａ（対向内面）に沿って上下方向に延びる支持面７０ａ，７０ｂ（特に図７参照）が形成されており、ガラスパネル４，４と縦フレーム７とは、支持面７０ａ，７０ｂに沿って上下方向に延びる各２条の透明な両面テープ７５，７５（接着材，接着層）により固着されている（特に図８参照）。具体的には、図７に示されるように、支持面７０ａ，７０ｂには、ガラスパネル４，４側に突出し、上下方向に延びる凸条部７２，７２がそれぞれ設けられており、凸条部７２の突出側先端面７２ａ（先端面）には、上下方向に沿って両面テープ７５，７５が貼付されてガラスパネル４，４と縦フレーム７とが固着されている。尚、ガラスパネル４，４の上下両端部は、被覆部材７０よりも上下に突出している（図３及び図４参照）。
【００３１】
また、被覆部材７０により被覆される芯部材７１は、板状を成し、被覆部材７０よりも上下方向に長尺に構成され、その上下両端部が被覆部材７０よりも上下に突出している。芯部材７１の上端部は、上部フレーム６の上部チャンネル部６２よりも前後方向の寸法が小さく形成されており、上部フレーム６の前後方向略中央、且つ上部フレーム６の長手方向内側に挿入された状態（図６（ａ）及び図８参照）で、上部フレーム６に対して該上部フレーム６の長手方向に延びる一対のネジ１３，１３で固定されている。
【００３２】
具体的には、図６（ａ）に示されるように、上部フレーム６は、その左右端部において前後方向の端縁に左右方向に延びて突出する突出部６ａ，６ａを備えており、突出部６ａ，６ａの間に凹部６ｂが形成されており、上部フレーム６の左右端部は上面視において前後方向の略中央部が該上部フレーム６の長手方向に凹む略コ字状を成している。芯部材７１の上端部は、凹部６ｂ内に収容されており、凹部６ｂの底面を構成する上部フレーム６の端面６ｃに対してネジ１３，１３により固定されている。
【００３３】
さらに、凹部６ｂには、芯部材７１の外側から上面視略コ字状のカバー７８が挿入され、芯部材７１の上端部は、カバー７８を介し上部フレーム６に予め固定されている鋼製の芯部材６３に対して、上部フレーム６の長手方向に延びるネジ１５で固定されることより、上部フレーム６と縦フレーム７とが連結されている。芯部材６３は、上部フレーム６の長手方向に沿って形成される溝６ｄに挿入され、該上部フレーム６に固定されており、上方から上部閉塞部材１１を介して吊支部材９が接続されている（図６（ｂ）参照）。
【００３４】
また、図６（ｂ）に示されるように、芯部材７１は、凹部６ｂに収容される部分（芯部材７１の上端部）よりも前後方向に張り出す張出肩部７１ａ，７１ａが、芯部材７１の上端部よりも下方に設けられており、この張出肩部７１ａ，７１ａが上部フレーム６の突出部６ａ，６ａの下面に係止されることにより、上部フレーム６と縦フレーム７との位置決めがされている。尚、図６（ｂ）においては、説明の便宜上、カバー７８の構成の図示を省略している。さらに尚、下部フレーム８は、上部フレーム６と縦フレーム７との接続構造と略同一であるため、詳細な説明を省略する。
【００３５】
以上説明したように、本実施例の間仕切パネル１は、前後に間隔をおいて対向して配置される一対のガラスパネル４，４と、一対のガラスパネル４，４の上下方向に亘って延び、該ガラスパネル４，４の側端縁に沿って配置される一対の縦フレーム７，７と、を備え、縦フレーム７，７は、一対のガラスパネル４，４の対向面４ａ，４ａに両面テープ７５，７５により固着されている。具体的には、一対のガラスパネル４，４と縦フレーム７とは、縦フレーム７，７の前後の支持面７０ａ，７０ｂからガラスパネル４，４側に突出し、上下方向に延びる凸条部７２，７２の突出側先端面７２ａ，７２ａに上下方向に沿って貼付される両面テープ７５，７５に対してガラスパネル４，４の対向面４ａ，４ａが押し付けられることにより固着されている。
【００３６】
これによれば、縦方向の支持強度が高い一対の縦フレーム７，７に一対のガラスパネル４，４を支持させる構造であることから、下部フレーム８にガラスパネル４，４を支持させるだけの支持強度を持たせる必要がなく、該下部フレーム８を薄く構成することができるため、ガラスパネル４，４の透光領域を大きくすることができる。
【００３７】
また、縦フレーム７，７は、一対のガラスパネル４，４の対向面４ａ，４ａ間に配置されているため、従来のように縦フレーム７，７がガラスパネル４，４の左右側端に配置される形態に比べ、縦フレーム７，７を目立ちにくくすることができる。
【００３８】
さらに、両面テープ７５，７５によりガラスパネル４，４と縦フレーム７，７が固着されているため、ガラスパネル４，４に接続用の孔や特殊な接続具などを用意する必要がなく、簡単な構造で縦フレーム７，７に一対のガラスパネル４，４を支持させることができる。
【００３９】
また、縦フレーム７，７は、略板状を成し、一対のガラスパネル４，４間の間隔Ｌ２よりも左右方向の板厚Ｌ１が短寸に形成されているため、縦フレーム７，７（支持面７０ａ，７０ｂ）とガラスパネル４，４とが左右に重畳する領域が小さくなり、ガラスパネル４，４の透光領域を広く見せることができ、室内空間に開放感を好適に演出できる。
【００４０】
また、縦フレーム７には、前後の支持面７０ａ，７０ｂに上下方向に延びる凸条部７２，７２が設けられており、該凸条部７２，７２の突出側先端面７２ａ，７２ａに両面テープ７５，７５が貼付されている。そのため、ガラスパネル４，４の対向面４ａ，４ａが押し付けられる際に、凸条部７２，７２に圧力が集中するので、ガラスパネル４，４に対して両面テープ７５，７５を貼り付けやすい。
【００４１】
また、両面テープ７５，７５が凸条部７２，７２の突出側先端面７２ａ，７２ａに貼付されるため、両面テープ７５，７５が凸条部７２，７２に対してずれたとしても目立ちにくく見栄えが良いとともに、両面テープ７５，７５の凸条部７２，７２への貼付作業が簡便である。
【００４２】
また、縦フレーム７の前後の支持面７０ａ，７０ｂには、上下方向に亘って線状に延びる両面テープ７５，７５が左右に２条ずつ配置されているため、両面テープ７５，７５の左右方向の幅が抑えられるとともに、両面テープ７５，７５に対してガラスパネル４が押し付けられたときに、左右幅が大きな１枚の両面テープを用いる態様に比べて、両面テープ７５，７５の接着面とガラスパネル４の対向面４ａとの間に空気が入りにくく、縦フレーム７とガラスパネル４との間に気泡が入ることを抑制できる。
【００４３】
また、縦フレーム７，７（芯部材７１）の上端部を上部フレーム６の前後方向略中央、且つ上部フレーム６の長手方向内側に挿入された状態（図６（ａ）及び図８参照）で、上部フレーム６に対して左右方向（長手方向）から固定できるため、高い支持強度でガラスパネル４，４を支持できるとともに、上部フレーム６の突出部６ａ，６ａにより縦フレーム７，７の上端部が前後方向から見えないようにカバーされ、間仕切パネル１，１，…を連接したときに、隣接する上部フレーム６，６の長手方向の端部同士が連接することとなるので、間仕切パネル１，１，…に左右方向に連続性が生じ、美観に優れる。
【００４４】
また、縦フレーム７，７が一対のガラスパネル４，４の対向面４ａ，４ａ間に配置されることにより、間仕切パネル１，１，…を連接したときに、間仕切パネル１，１，…の前後の表面に縦フレーム７，７による凹凸が形成されることがないため、見栄えが良い。
【００４５】
また、一対のガラスパネル４，４と縦フレーム７，７とは、上下方向に延びる各２条の両面テープ７５，７５により固着されているため、ガラスパネル４，４及び縦フレーム７，７に固定構造を別途設ける必要がなく、構造が簡素になるとともに、両面テープ７５，７５は略透明であり、視認しにくくなるので、ガラスパネル４，４と縦フレーム７，７との支持部分の見栄えを良くして間仕切パネル１の美観を高めることができる。また、両面テープ７５，７５は、縦方向に長くなっているため、ガラスパネル４，４を高い支持強度で支持することができる。
【００４６】
また、上部フレーム６及び下部フレーム８の長手方向には、一対のガラスパネル４，４の上下両端部をそれぞれ収容する凹溝部６１，６１及び凹溝部８１，８１が設けられているため、間仕切パネル１を移動させるときや間仕切パネル１，１，…を連接させるときの衝撃などにより、ガラスパネル４，４が相対的に離間または近接する方向に移動することを防止できる。そのため、両面テープ７５，７５からガラスパネル４，４を剥がす方向に力が働くことを抑制でき、ガラスパネル４，４の剥がれ落ちを防止でき耐震性も向上する。
【００４７】
また、枠部材５を構成する上部フレーム６と縦フレーム７との連結構造においては、剛性の高い鋼製の芯部材６３，７１がＬ字状に連結されることにより、上部フレーム６と縦フレーム７との接続部分における構造強度が確保されている。さらに、縦フレーム７，７により支持されるガラスパネル４，４の荷重を縦フレーム７，７の芯部材７１，７１から上部フレーム６の一対の芯部材６３，６３、さらに上部フレーム６の一対の芯部材６３，６３から吊支部材９，９に作用させている。すなわち、縦フレーム７，７と上部フレーム６とで実質的にガラスパネル４，４を支持しているので、縦フレーム７，７（芯部材７１，７１）の下端部と左右両端部が接続される下部フレーム８が一対のガラスパネル４，４の荷重を支持する必要がなくなり、下部フレーム８に必要な構造強度を小さくすることができるため、下部フレーム８を小さく構成することができる。
【００４８】
また、縦フレーム７，７において、芯部材７１，７１を鋼製等の剛性の高い素材により構成し、芯部材７１，７１を薄く構成したアルミ合金製の被覆部材７０，７０で被覆することにより、縦フレーム７，７を左右方向の厚みの薄い板状に構成しつつ、芯部材７１，７１により縦フレーム７，７の縦方向の強度を確保できる。
【００４９】
また、上部フレーム６においても、一対の芯部材６３，６３を鋼製等の剛性の高い素材により構成し、芯部材６３，６３を薄く構成したアルミ合金製の上部フレーム６で被覆することにより、上部フレーム６全体を小さく構成しつつ、芯部材６３，６３により上部フレーム６の構造強度を確保できる。
【００５０】
また、上部フレーム６に一体に取付けられる芯部材６３，６３に間仕切パネル１を吊支する吊支部材９，９が接続されることにより、芯部材６３，６３を被覆する上部フレーム６に必要な構造強度をより小さくすることができるため、上部フレーム６を薄く構成できる。
【００５１】
このように、枠部材５が上部フレーム６、一対の縦フレーム７，７及び下部フレーム８が一体に連結された四方枠形状として構成されることにより、枠部材５の構造強度を確保しながら、間仕切パネル１における枠部材５の大きさを抑えることができる。このように、間仕切パネル１における枠部材５を薄く形成することができるため、ガラスパネル４，４のパネル面の領域が相対的に大きくなり、ガラスパネル４，４のパネル面の領域を広くとることで見栄えが良く、且つ視認性が良くなるので室内空間に開放感を演出することができる。
【００５２】
尚、本実施例では、上部フレーム６に芯部材６３を予め固定した後、芯部材６３に縦フレーム７を固定する形態を例示したが、芯部材６３と縦フレーム７を固定した後、芯部材６３を上部フレーム６に固定するようにしてもよい。
【実施例２】
【００５３】
次に、実施例２に係る間仕切パネルにつき、図９及び図１０を参照して説明する。尚、前記実施例に示される構成部分と同一構成部分については同一符号を付して重複する説明を省略する。
【００５４】
実施例２における間仕切パネルについて説明する。図９及び図１０に示されるように、縦フレーム１０７（パネル支持体）は、ガラスパネル４，４間に配置され、縦フレーム１０７を構成する被覆部材７０には、ガラスパネル４，４の対向面４ａ，４ａ（対向内面）に沿って上下方向に延びる支持面７０ａ，７０ｂ（特に図９参照）が形成されており、ガラスパネル４，４と縦フレーム１０７とは、支持面７０ａ，７０ｂに沿って上下方向に延びる各２条の透明な両面テープ７５，７５（接着材，接着層）により固着されている（特に図１０参照）。具体的には、図９に示されるように、支持面７０ａ，７０ｂには、芯部材７１側に凹み、上下方向に延びる凹条部１７２，１７２がそれぞれ設けられており、凹条部１７２内には、上下方向に沿って両面テープ７５，７５が貼付されてガラスパネル４，４と縦フレーム１０７とが固着されている。
【００５５】
これによれば、両面テープ７５，７５が凹条部１７２に収まるため、縦フレーム１０７，１０７とガラスパネル４，４との左右方向への相対移動が規制される。また、両面テープ７５，７５を凹条部１７２に収めることができるため、見栄えが良い。
【００５６】
以上、本発明の実施例を図面により説明してきたが、具体的な構成はこれら実施例に限られるものではなく、本発明の要旨を逸脱しない範囲における変更や追加があっても本発明に含まれる。
【００５７】
例えば、前記実施例では、ガラスパネル４，４が前後に２枚設けられる間仕切パネル１について説明したが、これに限られず、間仕切パネルは、ガラスパネル４が１枚または３枚以上の複数設けられるものであってもよい。
【００５８】
また、前記実施例では、パネル部材としてガラスパネル４，４を利用する形態を例示したが、これに限られず、例えば、パネル部材は、透光性を有さない非透光パネル部材で構成されていてもよい。
【００５９】
また、前記実施例では、縦フレーム７，１０７の支持面７０ａ，７０ｂにそれぞれ設けられる凸条部７２，７２または凹条部１７２，１７２に各２条の両面テープ７５，７５が貼付されるものについて説明したが、これに限らず、両面テープ７５，７５は、ガラスパネル４，４側に配置されていてもよいし、縦フレーム７，１０７側とガラスパネル４，４側とにそれぞれ１条ずつ設けられていてもよい。また、両面テープは、縦フレームとガラスパネルの間に１条または３条以上の複数設けられるものであってもよく、凸条部または凹条部の数も適宜変更されてよい。
【００６０】
また、一対のガラスパネル４，４と縦フレームとを固着する両面テープ７５，７５等の粘着材は、上下方向に亘って連続するものに限らず、上下方向に分断されていてもよい。
【００６１】
また、一対のガラスパネル４，４と縦フレームとの固着は、両面テープ７５，７５に加えて、付加的に他の固定手段を併用してもよい。
【００６２】
また、前記実施例では、枠部材５を構成する一対の縦フレームに対して一対のガラスパネル４，４がそれぞれ両面テープ７５，７５により固着されて支持されるものについて説明したが、これに限らず、ガラスパネル４，４は、縦フレームだけでなく、上部フレーム６に対して両面テープにより固着されていてもよい。また、上部フレーム６及び縦フレームに対するガラスパネル４，４の固着は、両面テープによるもの限らず、接着剤や粘着剤が使用されてもよい。また、一対のガラスパネル４，４と縦フレームとを固着する粘着材は、上下方向に分割されていてもよい。
【００６３】
また、枠部材５は、四方枠形状のものに限らず、下部フレーム８がないものであってもよい。
【００６４】
また、上部フレーム６に一体に取付けられる芯部材６３，６３は、左右に分割されるものに限らず、上部フレーム６の長手方向に亘って一体に構成されていてもよい。
【００６５】
また、芯部材６３，７１は、鋼製のものに限らず、少なくとも上部フレーム６及び被覆部材７０を構成する素材（アルミ合金等）よりも剛性の高い素材から構成されていればよい。さらに、上部フレーム６及び被覆部材７０は、アルミ合金製以外の金属や木材及び合成樹脂等から構成されていてもよい。
【００６６】
また、上部フレーム６は、芯部材６３，６３が一体に取付けられていなくてもよく、この場合、縦フレーム７の芯部材７１に吊支部材９が直結される。
【符号の説明】
【００６７】
１                間仕切パネル
３                レール
４                ガラスパネル（パネル部材）
４ａ              対向面（対向内面）
５                枠部材
６                上部フレーム
６ａ              突出部
６ｂ              凹部
６ｃ              端面
６ｄ              溝
６ｅ              壁部
６ｆ              上壁部
６ｇ              スリット
６ｈ              幅広部
７                縦フレーム（パネル支持体）
８                下部フレーム
９                吊支部材
１０              移動間仕切装置
１１              上部閉塞部材
１２              下部閉塞部材
１３              ネジ
１５              ネジ
２０              パネル本体
６１              凹溝部
６２              上部チャンネル部
６３              芯部材
７０              被覆部材
７０ａ，７０ｂ    支持面
７１              芯部材
７１ａ            張出肩部
７２              凸条部
７２ａ            突出側先端面（先端面）
７５              両面テープ（接着材，接着層）
７６，７７        側部カバー部材
８１              凹溝部
８２              下部チャンネル部
１０７            縦フレーム（パネル支持体）
１７２            凹条部
Ｒ                天井面
Ｆ                床面
【図１】
2019135367.tif 000003
【図２】
2019135367.tif 000004
【図３】
2019135367.tif 000005
【図４】
2019135367.tif 000006
【図５】
2019135367.tif 000007
【図６】
2019135367.tif 000008
【図７】
2019135367.tif 000009
【図８】
2019135367.tif 000010
【図９】
2019135367.tif 000011
【図１０】
2019135367.tif 000012